(57)【要約】【課題】瓦の上面を金具で抑え込むことなく瓦に強固に固定可能となる瓦屋根用雪止め金具を提供すること。【解決手段】取付板部２の後側に、瓦３の前端部４に係止される瓦係止部５が設けられ、瓦係止部５より取付板部２の前側に間隔を置いて立上がり段差部６が設けられ、この立上がり段差部６と瓦係止部５に係止した瓦３の前端部４との間に溝状受部７が形成され、溝状受部７に嵌合配設可能な固定用部材８を備え、固定用部材８は、立上がり段差部６に圧接する段差圧接部９と、瓦３の前端部４に圧接する瓦前端圧接部10とが設けられ、段差圧接部９と瓦前端圧接部10とが立上がり段差部６と瓦３の前端部４に圧接している状態で固定用部材８を溝状受部７に固定する固定ネジ11を備えている瓦屋根用雪止め金具。【選択図】図２
2017201105.tif 000002
【特許請求の範囲】
【請求項１】
立設状態に配される雪止め板部を備えているか若しくは雪止めアングル等の雪止め具を装着可能な雪止め装着部を備えている瓦屋根用雪止め金具において、前記雪止め板部若しくは雪止め装着部が設けられている取付板部の後側に、瓦の前端部の下側に配されてこの瓦の前端部に係止される瓦係止部が設けられ、この瓦係止部より前記取付板部の前側に間隔を置いて立上がり段差部が設けられて、この立上がり段差部と、前記瓦係止部が係止している瓦の前端部との間に溝状受部が形成されるように構成されており、この溝状受部に嵌合配設可能な固定用部材を備え、この固定用部材は、前記立上がり段差部に圧接する段差圧接部と、前記瓦の前端部に圧接する瓦前端圧接部とが対向状態に設けられており、この段差圧接部と瓦前端圧接部とが前記立上がり段差部と前記瓦の前端部に圧接している状態で固定用部材を前記溝状受部に固定する固定ネジを備えていることを特徴とする瓦屋根用雪止め金具。
【請求項２】
前記固定用部材は、前記溝状受部に嵌合配設した状態でこの固定用部材を溝状受部の溝長さ方向にスライド移動させることにより、前記段差圧接部と前記瓦前端圧接部とが前記立上がり段差部と前記瓦の前端部に圧接するように構成されていることを特徴とする請求項１記載の瓦屋根用雪止め金具。
【請求項３】
前記固定ネジは、前記取付板部若しくは前記固定用部材に締緩操作可能に設けられていることを特徴とする請求項１，２のいずれか１項に記載の瓦屋根用雪止め金具。
【発明の詳細な説明】
【技術分野】
【０００１】
本発明は、瓦屋根用雪止め金具に関するものである。
【背景技術】
【０００２】
瓦屋根用の雪止め金具としては、雪止め部の後側に取付板部が突設されていて、この取付板部を、雪止め部が配置される瓦（屋根勾配下方側に配設される瓦）より屋根勾配上方側に配設される瓦の下側に配設して、屋根下地板に釘止めする構造のものが知られている（例えば、特許文献１参照）。
【０００３】
また、従来、特開２００３−２０７６２号（特許文献２）のように、屋根下地板への釘止めを要することなく、瓦に対して固定可能な雪止め金具も提案されている。
【０００４】
この特許文献２を簡単に説明すると、雪止め部の背後に背面下板が連設されると共に、この背面下板は、段差を介して挟圧下部と瓦下方差込部とを備え、背面下板と対面して挟圧上部と瓦抑え部とを備えた背面上板が設けられ、対面させた挟圧下部と挟圧上部を貫通する挟圧ボルトが装着されてなるものであって、屋根勾配の下方側に設置された瓦と屋根勾配の上方側に設置された瓦の隙間に前記背面下板を差し込み、前記背面上板の瓦抑え部を屋根勾配下方側の瓦の上面に位置させると共に、挟圧上下部を貫通する挟圧ボルトにナットを螺合して緊締することで、瓦を差込部と抑え部とで挟持して雪止め部を瓦屋根上面に固定できるように構成されている。
【先行技術文献】
【特許文献】
【０００５】
【特許文献１】特開平１１−３５０６７９号公報
【特許文献２】特開２００３−２０７６２号公報
【発明の概要】
【発明が解決しようとする課題】
【０００６】
本発明は、上記特許文献２のような瓦に対して固定可能な瓦屋根用雪止め金具の改良に係るもので、特許文献２のように瓦の上面を金具で抑え込まずとも瓦に強固に固定可能となる瓦屋根用雪止め金具を提供するものである。
【課題を解決するための手段】
【０００７】
添付図面を参照して本発明の要旨を説明する。
【０００８】
立設状態に配される雪止め板部１を備えているか若しくは雪止めアングル等の雪止め具を装着可能な雪止め装着部を備えている瓦屋根用雪止め金具Ａにおいて、前記雪止め板部１若しくは雪止め装着部が設けられている取付板部２の後側に、瓦３の前端部４の下側に配されてこの瓦３の前端部４に係止される瓦係止部５が設けられ、この瓦係止部５より前記取付板部２の前側に間隔を置いて立上がり段差部６が設けられて、この立上がり段差部６と、前記瓦係止部５が係止している瓦３の前端部４との間に溝状受部７が形成されるように構成されており、この溝状受部７に嵌合配設可能な固定用部材８を備え、この固定用部材８は、前記立上がり段差部６に圧接する段差圧接部９と、前記瓦３の前端部４に圧接する瓦前端圧接部10とが対向状態に設けられており、この段差圧接部９と瓦前端圧接部10とが前記立上がり段差部６と前記瓦３の前端部４に圧接している状態で固定用部材８を前記溝状受部７に固定する固定ネジ11を備えていることを特徴とする瓦屋根用雪止め金具に係るものである。
【０００９】
また、前記固定用部材８は、前記溝状受部７に嵌合配設した状態でこの固定用部材８を溝状受部７の溝長さ方向にスライド移動させることにより、前記段差圧接部９と前記瓦前端圧接部10とが前記立上がり段差部６と前記瓦３の前端部４に圧接するように構成されていることを特徴とする請求項１記載の瓦屋根用雪止め金具に係るものである。
【００１０】
また、前記固定ネジ11は、前記取付板部２若しくは前記固定用部材８に締緩操作可能に設けられていることを特徴とする請求項１，２のいずれか１項に記載の瓦屋根用雪止め金具に係るものである。
【発明の効果】
【００１１】
本発明は上述のように構成したから、固定用部材で瓦の上面を抑え込むことなく瓦の前端部に対して強固に固定でき、これにより固定用部材の小型化が可能でコスト安に構成可能であり、しかも、強風による強大な吹き上げ力等が作用した場合に、この吹き上げ方向への金具変形荷重に対し固定用部材が強固に抵抗でき、変形を生じにくく高耐久性・高固定強度を発揮できるなど、極めて実用性に優れた瓦屋根用雪止め金具となる。
【００１２】
また、請求項２記載の発明においては、固定用部材を溝状受部に嵌合配設してスライド移動するだけでこの固定用部材が溝状受部に圧接するので、瓦への取付作業が非常に容易に行われる一層実用性に優れた構成の瓦屋根用雪止め金具となる。
【００１３】
また、請求項３記載の発明においては、溝状受部へ固定用部材を固定する際の固定ネジの付け外し作業が不要となる一層施工作業性・実用性に優れた構成の瓦屋根用雪止め金具となる。
【図面の簡単な説明】
【００１４】
【図１】本実施例を示す斜視図である。
【図２】本実施例を示す、固定用部材を分解した斜視図である。
【図３】本実施例を示す、瓦係止部を瓦の前端部の下側に差込んでこの前端部に係止した状態の説明側面図である。
【図４】図３に続いて、固定用部材を溝状受部に嵌合配設した状態の説明斜視図である。
【図５】図４に続いて、固定用部材をスライド移動させることにより溝状受部に圧接し、この圧接状態の固定用部材を固定ネジにより締付固定した状態の説明斜視図である。
【図６】図５の説明側面図である。
【発明を実施するための形態】
【００１５】
好適と考える本発明の実施形態を、図面に基づいて本発明の作用を示して簡単に説明する。
【００１６】
取付板部２の後側に設けられている瓦係止部５を、屋根勾配の上側に設置される瓦３の前端部４の下側に配してこの前端部４に係止し、この瓦３の前端部４と、瓦係止部５より前記取付板部２の前側に間隔を置いて設けられている立上がり段差部６との間の溝状受部７に固定用部材８を嵌合配設し、この固定用部材８に設けられている段差圧接部９が前記立上がり段差部６に圧接し、段差圧接部９と対向状態に固定用部材８に設けられている瓦前端圧接部10が瓦３の前端部４に圧接している状態でこの固定用部材８を固定ネジ11により前記溝状受部７に固定すると、瓦３の前端部４に対する瓦係止部５の係止作用と、固定用部材８の瓦前端圧雪部10の圧接力とにより、本瓦屋根用雪止め金具Ａが瓦３に対して固定されることになる。
【００１７】
また、このようにして固定された本瓦屋根用雪止め金具Ａは、強風による強大な吹き上げ力等が作用すると、この吹き上げ方向へ変形しようとする荷重が加わることで固定用部材８の瓦前端圧接部10がより強く瓦３の前端部４に圧接するが、この圧接荷重が反対側の段差圧接部９を介して前記立上がり段差部６で確固に支持されるので、変形等を生じにくく高耐久性・高固定強度を発揮することになる。
【実施例】
【００１８】
本発明の具体的な実施例について図面に基づいて説明する。
【００１９】
本実施例は、立設状態に配される雪止め板部１を備えている瓦屋根用雪止め金具Ａであって、前記雪止め板部１が設けられている取付板部２の後側（屋根勾配上方側に配設する側）に、瓦３の前端部４（屋根勾配下方側（軒側）端部）の下側に配されてこの瓦３の前端部４に係止される瓦係止部５が設けられている。
【００２０】
また、図示した瓦３は、平板瓦と称される全体が略平板状を呈すると共に、その前端部４が下方へ垂下する形状のものを採用した場合を示している。
【００２１】
具体的には、本実施例の瓦屋根用雪止め金具Ａは、平面視で前後方向に長さを有し前側が後側より幅広となる形状の一枚の金属製帯板から構成されているもので、この金属板の幅広前端部を上方へ直角に折曲してこの前端立設板部が前記雪止め板部１として構成され、この雪止め板部１より後側が前記取付板部２として構成されている。尚、雪止め板部１が取付板部２と一体的に形成される構成ではなく、雪止めアングル等の雪止め具を装着可能な雪止め装着部を備えている構成を採用しても良い。
【００２２】
また、この取付板部２は、その後端が上開口の転コ字状に折曲形成されて、このコ字状後端部が瓦３の垂下前端部４に下方から嵌合係止可能な前記瓦係止部５として構成されている。
【００２３】
また、本実施例は、この瓦係止部５より前記取付板部２の前側に間隔を置いて立上がり段差部６が設けられ、この立上がり段差部６と、前記瓦係止部５が係止している瓦３の前端部４との間に溝状受部７が形成されるように構成されている。
【００２４】
具体的には、前記取付板部２は、図１〜図３に示すように、その途中部が後側を低く前側を高くした段差形状に折曲形成されて、この途中の段差部分が前記立上がり段差部６として構成されており、この立上がり段差部６より後側に存する下段部12の後端部に前記瓦係止部５が設けられて、この瓦係止部５が係止している瓦３の垂下前端部４の前面と前記立上がり段差部６とを対向側壁とし、（この対向側壁の下端間に存する）前記下段部12を底壁とする側面視溝状の前記溝状受部７が形成されるように構成されている。
【００２５】
また、この立上がり段差部６より前側に存する上段部13の前側が、側面視で後傾姿勢の傾斜板部14に折曲され、さらにこの傾斜板部14の前側が水平板部15に形成され、この水平板部15の前端部が上方へ直角に折曲されてこの前端立設板部が前記雪止め板部１として構成されている。
【００２６】
また、本実施例は、この溝状受部７に嵌合配設可能な固定用部材８を備えている。
【００２７】
この固定用部材８について説明すると、図１〜図３に示すように、一枚の平面視方形状の金属製板材から構成されているもので、前記溝状受部７に嵌合配設した際に前記取付板部２の立上がり段差部６（溝状受部７の一方の側壁）に当接する段差圧接部９と、前記取付板部２の下段部12（溝状受部７の底壁）に当接する下段当接部17と、前記瓦３の垂下前端部４の前面（溝状受部７の他方の側壁）に当接可能な瓦前端圧接部10と、前記取付板部２の上段部13に当接する上段当接部18とを有する形状に、前記金属製板材が折曲形成されている。
【００２８】
さらに具体的には、前記段差圧接部９と前記下段当接部17と前記瓦前端圧接部10とが側面視で略コ字状に連設する形状（前記段差圧接部９と前記瓦前端圧接部10とが前記下段当接部17を介して前後に対設する形状）であって、この段差圧接部９の上端部から側面視で水平前方（屋根勾配下方側）へ略直角に前記上段当接部18が連設する形状に、前記金属製板材が折曲形成されている。
【００２９】
また、本実施例は、前記固定用部材８は、前記溝状受部７に嵌合配設した状態でこの固定用部材８を溝状受部７の溝長さ方向にスライド移動させることにより、前記段差圧接部９と前記瓦前端圧接部10とが前記立上がり段差部６と前記瓦３の前端部４に圧接するように構成されており、この段差圧接部９と瓦前端圧接部10とが前記立上がり段差部６と前記瓦３の前端部４に圧接している状態で固定用部材８を前記溝状受部７に固定する固定ネジ11を備えている。
【００３０】
具体的には、前記取付板部２の上段部13に、固定ネジ11取付用の螺着部としてかしめナット16（ブラインドナット）が固定され、このかしめナット16に固定ネジ11が上方から締緩回動操作可能に螺着されている一方、前記固定用部材８の上段当接部18に、この固定用部材８を前記溝状受部７に嵌合配設した際に前記固定ネジ11を挿通するネジ通し孔19が設けられている。
【００３１】
また、このネジ通し孔19は、前記固定用部材８（上段当接部18）の左右方向に長さのある長孔に形成されていて、この長孔（ネジ通し孔19）に挿通された前記固定ネジ11がこのネジ通し孔19に許容される範囲でスライド移動可能となるように、即ち溝状受部７に嵌合配設した固定用部材８が、前記溝状受部７の溝長さ方向に（ネジ通し孔19に許容される範囲で）スライド移動可能に設けられている。
【００３２】
また、さらにこのネジ通し孔19は、図２に示すように、一側（図２における奥側）が前記固定ネジ11のネジ軸部22より径大であってこの固定ネジ11の頭部23より径小な固定用孔部20に形成されていると共に、他側（図２における手前側）が前記頭部23より径大な挿入用孔部21に形成されていて、前記固定用部材８を前記溝状受部７に上方から嵌合配設した際には、挿入用孔部21から固定ネジ11の頭部23をネジ通し孔19に挿通させることができ、この挿入用孔部21にある固定ネジ11（のネジ軸部22）が固定用孔部20に移動するように固定用部材８を溝状受部７に対しスライド移動させると、この固定ネジ11の頭部23に対して固定用部材８が溝状受部７より上方へ嵌脱不能な状態となると共に、この固定用部材８の段差圧接部９と瓦前端圧接部10とが、溝状受部７の前記立上がり段差部６と前記瓦３の垂下前端部４の前面とに圧接することとなるように、前記固定用孔部20の形状等が設定構成されている。
【００３３】
尚、固定用部材８に固定ネジ11（かしめナット16）が設けられ、取付板部２にネジ通し孔19が設けられる構成を採用しても良い。
【００３４】
次に、このように構成した本実施例の、瓦屋根への取付方法（既設瓦屋根への後付方法）を説明する。
【００３５】
固定用部材８を取付板部２から取り外しておく（図２参照）。
【００３６】
例えば、先ず、屋根勾配上方側の瓦３の垂下前端部４を屋根勾配下方側の瓦３に対して少し浮き上がらせて上下の瓦３間に隙間を形成する。
【００３７】
次いで、前記瓦係止部５を下にして本瓦屋根用雪止め金具Ａを立設姿勢とし、この立設姿勢の瓦係止部５の後端部を前記隙間に差し込み、垂下前端部４を回動支点として雪止め板部１を下方へ伏動回動させることにより、瓦係止部５が下方から垂下前端部４に嵌合係止した（瓦係止部５が垂下前端部４の下側に配されてこの瓦係止部５の後端部が垂下前端部４の背後に回り込んだ）状態とする（図３参照）。
【００３８】
次いで、取付板部２の立上がり段差部６と、瓦係止部５が係止している瓦３の垂下前端部４の前面との間に形成されている溝状受部７に固定用部材８を嵌合配設すると共に、挿入用孔部21から固定ネジ11の頭部23をネジ通し孔19に挿通させる（図４参照）。
【００３９】
次いで、この挿入用孔部21にある固定ネジ11（のネジ軸部22）が固定用孔部20に移動するように固定用部材８を溝状受部７に対しスライド移動させて、この固定用部材８の段差圧接部９と瓦前端圧接部10とを、溝状受部７の前記立上がり段差部６と前記瓦３の垂下前端部４の前面とに圧接させ、この状態で固定ネジ11を締付回動操作して固定用部材８を前記溝状受部７に固定すると、この固定用部材８（の瓦前端圧接部10）と、瓦係止部５の後端部とが瓦３の垂下前端部４を前後から圧接挟持し、この圧接挟持力により瓦３の垂下前端部４に本瓦屋根用雪止め金具Ａが固定されて、瓦屋根上に本瓦屋根用雪止め金具Ａが設置される（図５，図６参照）。
【００４０】
従って、本実施例によれば、既設の瓦屋根に対して、瓦３を引き剥がすことなく上記のようにして本瓦屋根用雪止め金具を容易に後付することが可能である。尚、もちろん瓦３の施工と同時に本瓦屋根用雪止め金具を固定していくことも可能である。
【００４１】
図中符号24は屋根下地材である。
【００４２】
尚、本発明は、本実施例に限られるものではなく、各構成要件の具体的構成は適宜設計し得るものである。
【符号の説明】
【００４３】
１  雪止め板部
２  取付板部
３  瓦
４  前端部
５  瓦係止部
６  立上がり段差部
７  溝状受部
８  固定用部材
９  段差圧接部
10  瓦前端圧接部
11  固定ネジ
Ａ  瓦屋根用雪止め金具
【図１】
2017201105.tif 000003
【図２】
2017201105.tif 000004
【図３】
2017201105.tif 000005
【図４】
2017201105.tif 000006
【図５】
2017201105.tif 000007
【図６】
2017201105.tif 000008